(57)【要約】【課題】走行する磁気テープと磁気ヘッドの間のスペーシングを減少させることにより、磁気テープに信号やデータを良好な記録状態で記録することでき、または、磁気テープから信号やデータを正確に読み取ることができる磁気テープドライブを提供することを課題とする。【解決手段】磁気テープＭＴの記録に用いられるサーボライタ１０（磁気テープドライブ）であって、磁気テープＭＴの記録を行うサーボ信号書込ヘッド１５（磁気ヘッド）と、走行する磁気テープＭＴを、サーボ信号書込ヘッド１５に沿わせて走行させるためのテープガイド３０とを備え、テープガイド３０は、磁気テープＭＴを案内するガイド面３１を有しており、ガイド面３１には、凹溝３２が形成されていることを特徴としている。【選択図】図３
2007242091.tif 000002
【特許請求の範囲】
【請求項１】
磁気テープの記録又は再生に用いられる磁気テープドライブであって、
前記磁気テープの記録又は再生を行う磁気ヘッドと、
走行する前記磁気テープを、前記磁気ヘッドに沿わせて走行させるためのテープガイドと、を備え、
前記テープガイドは、前記磁気テープを案内するガイド面を有しており、前記ガイド面には、凹溝が形成されていることを特徴とする磁気テープドライブ。
【請求項２】
前記テープガイドは、前記磁気ヘッドに対して磁気テープ走行方向の上流側に配置されており、前記ガイド面には、前記磁気テープの幅方向に延設された複数の前記凹溝が磁気テープ走行方向に並設され、隣り合う前記凹溝の間隔が、前記磁気ヘッドに近づくにつれて狭くなるように構成されていることを特徴とする請求項１に記載の磁気テープドライブ。
【請求項３】
前記テープガイドと前記磁気ヘッドの間には、走行する前記磁気テープを前記磁気ヘッド側に引き寄せる吸引手段が設けられていることを特徴とする請求項１又は請求項２に記載の磁気テープドライブ。
【請求項４】
送出リールから送り出した磁気テープを巻取リールで巻き取って走行させる磁気テープ走行系と、
走行する前記磁気テープのサーボバンドに、磁気ヘッドのトラッキング制御をするためのサーボ信号を書き込むサーボ信号書込ヘッドと、
走行する前記磁気テープを、前記磁気ヘッドに沿わせて走行させるためのテープガイドと、を備え、
前記テープガイドは、前記磁気テープを案内するガイド面を有し、前記ガイド面には、凹溝が形成されているサーボライタを用いた磁気テープの製造方法であって、
前記磁気テープ走行系によって、前記磁気テープを前記送出リールから前記巻取リールに向けて走行させる段階と、
走行する前記磁気テープを、前記テープガイドによって前記サーボ信号書込ヘッドに沿わせて走行させ、前記サーボ信号書込ヘッドによって前記磁気テープの前記サーボバンドに前記サーボ信号を書き込む段階と、
を含むことを特徴とする磁気テープの製造方法。
【発明の詳細な説明】
【技術分野】
【０００１】
本発明は、磁気テープの記録又は再生を行うための磁気テープドライブ及び磁気テープの製造方法に関する。
【背景技術】
【０００２】
近年、磁気テープは、高密度記録化が進んでおり、コンピュータのバックアップ用では４００ギガバイト程度の記憶容量を有するものがある。そのために、磁気テープには幅方向に数百本のデータトラックが形成されている。したがって、データトラックの幅は非常に狭くなっており、隣接するデータトラック間も非常に狭くなっている。そのため、磁気ヘッドの記録／再生素子をデータトラックにトレースさせるために、磁気テープにサーボ信号を予め書き込んでおき、このサーボ信号を磁気ヘッドで読み取ることにより、磁気ヘッドの位置（磁気テープの幅方向の位置）をサーボ制御している。
【０００３】
ここで、磁気テープ記録再生装置では、サーボ信号読取素子（ＭＲ素子）によってサーボ信号における磁化の変化点を電気抵抗の変化で検出しており、読取信号として磁化の変化点を微分波形（電圧値）で出力している。そのため、ＭＲ素子の電気抵抗の変化が大きくなるほど、サーボ信号の読取信号のピーク電圧値が大きくなり、読取信号のＳＮ比が向上する。
【０００４】
しかし、今後、数十テラバイト程度まで磁気テープの高密度記録化が進んだ場合には、磁気テープは、データトラック数が増え、データトラックの幅及び隣接するデータトラック間は一層狭くなるとともに、磁気テープ自体も薄層化する。これに伴い、サーボ信号を読み取るときに検出可能な磁気の量が減少し、サーボ信号の読取信号のピーク電圧値が小さくなり、読取信号のＳＮ比が劣化してしまう。その結果、磁気テープ記録再生装置では、サーボ信号を正確に読み取ることができなくなり、磁気ヘッドの位置制御を行えなくなってしまう。
【０００５】
サーボ信号の読取信号のＳＮ比を向上させる方法として、磁気テープのサーボバンドを、磁気テープの長手方向の一方向（例えば、磁気テープの走行方向）に向けて、一方向に磁化して直流消去（以下、「ＤＣ消磁」という。）した後に、サーボバンドを前記一方向と逆方向に磁化してサーボ信号を書き込む方法がある。この方法では、サーボ信号を磁気ヘッドのサーボ信号読み取り用の素子で読み取ったときに、一方向の地の部分と、逆方向に磁化されたサーボパターンとの切り替わりの部分で、磁界の変化率及び変化量が大きくなるため、サーボ信号の出力が大きくなり、サーボ信号の読取信号のＳＮ比を向上させることができる（例えば、特許文献１参照）。
【０００６】
【特許文献１】特開２００４−３１８９７７号公報（段落００２６〜００２７、図１）
【特許文献２】米国特許第６９７０３１２号明細書
【特許文献３】米国特許出願公開第２００５／００９９７１８号明細書
【特許文献４】米国特許出願再公開第２００５／０１０５９６７号明細書
【特許文献５】米国特許出願公開第２００５／０１６８８６９号明細書
【特許文献６】米国特許出願公開第２００５／０２１９７３４号明細書
【発明の開示】
【発明が解決しようとする課題】
【０００７】
ここで、磁気テープを高速で走行させたときには、走行する磁気テープの周囲を流れる空気が磁気テープと磁気ヘッドの間に入り込み、磁気テープが磁気ヘッドから浮いて隙間（以下、「スペーシング」という場合がある。）が生じてしまう場合がある。そして、磁気テープと磁気ヘッドの間にスペーシングが大きい場合には、記録信号のドロップアウトや記録信号の出力低下、或いは、記録信号の読み取り不良が生じてしまうという問題がある。
【０００８】
そこで、本発明では、前記した問題を解決し、走行する磁気テープと磁気ヘッドの間のスペーシングを減少させることにより、磁気テープに信号やデータを良好な記録状態で記録することができ、または、磁気テープから信号やデータを正確に読み取ることができる磁気テープドライブを提供することを課題とする。
また、走行する磁気テープとサーボ信号書込ヘッドの間のスペーシングを減少させることにより、磁気テープにサーボ信号を良好な記録状態で記録することができる磁気テープの製造方法を提供することを課題とする。
【課題を解決するための手段】
【０００９】
前記課題を解決するため、本発明は、磁気テープの記録又は再生に用いられる磁気テープドライブであって、磁気テープの記録又は再生を行う磁気ヘッドと、走行する磁気テープを、磁気ヘッドに沿わせて走行させるためのテープガイドと、を備え、テープガイドは、磁気テープを案内するガイド面を有しており、ガイド面には、凹溝が形成されていることを特徴としている。
【００１０】
このように、磁気テープを案内するガイド面に凹溝を形成することにより、走行する磁気テープの表面上を流れる空気は、ガイド面の凹溝内に流れ込み、凹溝を通って磁気テープとガイド面の間から排出されることになる。これにより、磁気テープと磁気ヘッドの間に入り込む空気を減少させることができるため、磁気テープと磁気ヘッドの間のスペーシングを減少させることができる。
【００１１】
なお、磁気テープ走行方向において、磁気ヘッドの両側にテープガイドを設けることにより、磁気テープの表面上を流れる空気を確実に減少させることが望ましいが、磁気テープ走行方向において、磁気ヘッドの一方のみにテープガイドを設けてもよく、この場合には、磁気ヘッドに対して磁気テープ走行方向の上流側にテープガイドを設けることが望ましい。
また、ガイド面に形成される凹溝は、磁気テープの幅方向に延設する構成や、磁気テープの長手方向に延設する構成など、その延長方向は限定されるものではない。
【００１２】
前記した磁気テープドライブにおいて、テープガイドは、磁気ヘッドに対して磁気テープ走行方向の上流側に配置されており、ガイド面には、磁気テープの幅方向に延設された複数の凹溝が磁気テープ走行方向に並設され、隣り合う凹溝の間隔が、磁気ヘッドに近づくにつれて狭くなるように構成してもよい。
【００１３】
ここで、走行する磁気テープの磨耗を防ぐために、磁気テープをガイド面から僅かに浮上させて走行させることが望ましい。そこで、磁気ヘッドに対して磁気テープ走行方向の上流側に配置されたテープガイドにおいて、磁気テープ走行方向に並設された凹溝の間隔を、磁気ヘッドに近づくにつれて狭くなるように構成することにより、走行する磁気テープの表面上を流れる空気が、磁気テープとガイド面の間から徐々に排出されることになる。これにより、磁気テープとガイド面の間に介在する空気が全て排出されないため、磁気テープをガイド面から浮上させつつ、磁気テープと磁気ヘッドの間のスペーシングを減少させることができる。
【００１４】
前記した磁気テープドライブにおいて、磁気ヘッドとテープガイドの間には、走行する磁気テープを磁気ヘッド側に吸い寄せる吸引手段が設けられているように構成することができる。
【００１５】
このように、走行する磁気テープを磁気ヘッド側に引き寄せる吸引手段を、テープガイドと磁気ヘッドの間に設けることにより、磁気テープと磁気ヘッドを適正な接触圧で接触させることができる。
【００１６】
また、前記課題を解決するための磁気テープの製造方法であり、送出リールから送り出した磁気テープを巻取リールで巻き取って走行させる磁気テープ走行系と、走行する磁気テープのサーボバンドに、磁気ヘッドのトラッキング制御をするためのサーボ信号を書き込むサーボ信号書込ヘッドと、走行する磁気テープを、磁気ヘッドに沿わせて走行させるためのテープガイドと、を備え、テープガイドは、磁気テープを案内するガイド面を有し、ガイド面には、凹溝が形成されているサーボライタを用いた磁気テープの製造方法であって、磁気テープ走行系によって、磁気テープを送出リールから巻取リールに向けて走行させる段階と、走行する磁気テープを、テープガイドによってサーボ信号書込ヘッドに沿わせて走行させ、サーボ信号書込ヘッドによって磁気テープのサーボバンドにサーボ信号を書き込む段階と、を含むことを特徴としている。
【００１７】
この構成では、走行する磁気テープの表面上を流れる空気は、テープガイドのガイド面の凹溝を通って磁気テープとガイド面の間から排出されることになる。これにより、磁気テープとサーボ信号書込ヘッドの間に入り込む空気を減少させることができるため、磁気テープと磁気ヘッドの間のスペーシングを減少させることができる。したがって、磁気テープにサーボ信号を良好な記録状態で記録することができ、高品質な磁気テープを製造することができる。
【発明の効果】
【００１８】
本発明の磁気テープドライブによれば、走行する磁気テープの表面上を流れる空気は、テープガイドのガイド面の凹溝を通って磁気テープとガイド面の間から排出されるため、磁気テープと磁気ヘッドの間のスペーシングを減少させることができる。したがって、磁気テープに信号やデータを良好な記録状態で記録することができ、または、磁気テープから信号やデータを正確に読み取ることができる。
【００１９】
本発明の磁気テープの製造方法によれば、走行する磁気テープの表面上を流れる空気は、テープガイドのガイド面の凹溝を通って磁気テープとガイド面の間から排出されるため、磁気テープとサーボ信号書込ヘッドの間のスペーシングを減少させることができる。したがって磁気テープにサーボ信号を良好な記録状態で記録することができるため、高品質な磁気テープを製造することができる。
【発明を実施するための最良の形態】
【００２０】
次に、本発明の実施形態について、適宜図面を参照しながら詳細に説明する。
本実施形態では、磁気テープのサーボバンドを、磁気テープの長手方向の一方向に向けて一方向に磁化した後に、このサーボバンドを前記一方向と逆方向に磁化してサーボ信号を書き込む場合を例として説明する。
なお、各実施形態の説明において、同一の構成要素に関しては同一の符号を付し、重複した説明は省略するものとする。
【００２１】
＜第一実施形態＞
図１は、第一実施形態の磁気テープを示した図で、（ａ）は磁気テープの磁化状態を説明する拡大平面図、（ｂ）は磁気テープから読み取ったサーボ信号を示した図、（ｃ）はサーボ信号を書き込むときの信号を示した図である。図２は、第一実施形態のサーボライタを示した構成図である。図３は、第一実施形態のテープガイド及びサーボ信号書込ヘッドを示した図で、（ａ）は側面図、（ｂ）は下面図である。
【００２２】
まず、第一実施形態の磁気テープの構成について説明した後に、その磁気テープにサーボ信号を書き込むためのサーボライタの構成を説明し、さらに、そのサーボライタを用いた磁気テープの製造方法について説明する。なお、サーボライタは、特許請求の範囲に記載の「磁気テープドライブ」に相当するものである。
【００２３】
［磁気テープの構成］
第一実施形態の磁気テープＭＴは、図１（ａ）に示すように、テープの長手方向に伸びる複数のサーボバンドＳＢと、各サーボバンドＳＢの間に位置するデータバンドＤＢとを有している。
【００２４】
各サーボバンドＳＢは、磁気テープＭＴの長手方向の一方向である走行方向（図中の矢印参照。以下、この走行方向を適宜「順方向」という。）に磁化されている。図１では、磁化されている方向を小さい矢印で示している。そして、サーボバンドＳＢを順方向と逆方向に磁化してサーボ信号ＳＳが書き込まれている。
【００２５】
サーボ信号ＳＳは、磁気テープＭＴの走行方向に対して、正の傾斜角をなす二本の縞状に磁化された部分であるバーストＢａと、このバーストＢａに続いて、走行方向に対して、負の傾斜角をなす二本の縞状に磁化された部分であるバーストＢｂとによって、一つのサーボパターンＳＰを形成しており、このサーボパターンＳＰが所定の間隔で長手方向に繰り返し形成されることにより、サーボ信号ＳＳが構成されている。
なお、本実施形態では、二本ずつの正、負に傾斜した縞で、サーボパターンＳＰを構成しているが、例えば、五本の正、負に傾斜した縞で構成したり、五本の正、負に傾斜した縞と、四本の正、負に傾斜した縞とを交互に形成したりするなど、適宜変形が可能である。また、図１（ａ）においては、サーボ信号ＳＳの構成を分かり易くするために、サーボパターンＳＰを磁気テープＭＴに対して、比較的大きく描いている。
【００２６】
また、各サーボバンドＳＢの間のデータバンドＤＢも一様に順方向に磁化されている。図１（ａ）に示した磁気テープＭＴは、データが未記録のものであって、データが記録されたときには、データバンドＤＢにデータの内容に応じて逆方向や順方向に磁化された部分が形成されることになる。
【００２７】
（磁気テープと磁気ヘッドの位置関係）
ここで、図１（ａ）には、磁気テープＭＴに対する磁気テープ記録再生装置（図示せず）の磁気ヘッドＨの位置関係が示されている。
磁気ヘッドＨは、サーボ信号ＳＳを読み取るためのサーボ信号読取素子ＳＨが、複数のサーボバンドＳＢの間隔と同じ間隔で磁気テープＭＴの幅方向に並んで配設されている。
そして、各サーボ信号読取素子ＳＨの間には、データバンドＤＢに信号を記録するための複数の記録素子ＷＨが磁気テープＭＴの幅方向に並んで配設されており、この記録素子ＷＨの列が磁気テープ走行方向に二列設けられている。
さらに、各記録素子ＷＨの間には、複数の再生素子ＲＨが磁気テープＭＴの幅方向に一列に並んで配設されている。
【００２８】
以上のような磁気ヘッドＨによって、磁気テープＭＴにデータの記録、再生を行うときには、サーボ信号読取素子ＳＨでサーボ信号ＳＳが読み取られることになる。このとき、サーボ信号ＳＳのサーボパターンＳＰは、磁気テープＭＴの走行方向に対して傾斜しており、互いに非平行な縞により形成されていることから、サーボ信号読取素子ＳＨがサーボ信号ＳＳを読み取ってパルスを検出するタイミングは、磁気テープＭＴと磁気ヘッドＨの幅方向についての相対位置によって異なる。そのため、パルスを読み取るタイミングが所定の条件になるように、磁気ヘッドＨの位置を幅方向に制御することにより、記録素子ＷＨ又は再生素子ＲＨがデータバンドＤＢの所定のトラックへ正確に配置されるように制御（トラッキング制御）することができる。
【００２９】
サーボ信号読取素子ＳＨがサーボ信号ＳＳを読み取ったときの出力（ピーク電圧値）は、信号が記録されていない部分と、信号が記録されている部分の切り替わりの磁界の変化率又は変化量に依存する。
そして、本実施形態では、順方向に磁化された地のサーボバンドＳＢの部分から逆方向に磁化されたサーボパターンＳＰの切り替わりの部分で、順方向から逆方向へ大きく磁気の向きが変わることになる。また、逆方向に磁化されたサーボパターンＳＰの部分から、順方向に磁化された地のサーボバンドＳＢの部分に切り替わるところでも逆方向から順方向へ大きく磁気の向きが変わることになる。そのため、この大きな磁気変化に応じて、サーボ信号読取素子ＳＨは、図１（ｂ）に示すように、大きな出力でサーボ信号ＳＳを読み取ることができる。したがって、サーボ信号ＳＳの読取信号のＳＮ比を向上させることができる。
【００３０】
［サーボライタの構成］
次に、前記した磁気テープＭＴにサーボ信号ＳＳを書き込むためのサーボライタについて説明する。なお、以下の説明において、磁気テープＭＴの構成要素については、適宜に図１を参照するものとする。
【００３１】
図２に示したサーボライタ１０は、磁気テープＭＴのサーボバンドＳＢにサーボ信号ＳＳを書き込むための装置であり、送出リール１１、巻取リール１２、駆動装置１３、パルス発生回路１４、サーボ信号書込ヘッド１５、制御装置１６、ＤＣ消磁ヘッド２０を備えている。
また、サーボライタ１０には、電源装置（図示せず）、磁気テープＭＴをクリーニングするクリーニング装置や書き込んだサーボ信号ＳＳの検査を行うためのベリファイヘッド１７等が装備されている。
なお、サーボ信号書込ヘッド１５、ＤＣ消磁ヘッド２０、ベリファイヘッド１７は、特許請求の範囲に記載の「磁気ヘッド」に相当するものである。
【００３２】
（送出リール及び巻取リールの構成）
送出リール１１では、サーボ信号ＳＳの書き込み前に、幅広のウェブ原反から製品幅に裁断された磁気テープＭＴが、大径巻のパンケーキにセットされており、サーボ信号ＳＳの書き込み時に磁気テープＭＴを送り出すように構成されている。
この送出リール１１から送り出された磁気テープＭＴは、テープガイド３０やガイドローラ１８等に案内されてＤＣ消磁ヘッド２０、サーボ信号書込ヘッド１５及びベリファイヘッド１７に搬送される。
そして、ＤＣ消磁ヘッド２０、サーボ信号書込ヘッド１５及びベリファイヘッド１７を通過した磁気テープＭＴは、ガイド１８等に案内されて巻取リール１２に搬送される。
巻取リール１２は、駆動装置１３によって回転駆動することにより、ＤＣ消磁ヘッド２０、サーボ信号書込ヘッド１５及びベリファイヘッド１７を通過した磁気テープＭＴを巻き取るように構成されている。
【００３３】
（駆動装置の構成）
駆動装置１３は、巻取リール１２を回転駆動するための装置であり、図示しないモータ及びそのモータに電流を供給するためのモータ駆動回路、さらにモータ軸と巻取リール１２を連結するためのギヤ等を備えている。
この駆動装置１３では、制御装置１６からのモータ電流信号に基づいてモータ駆動回路でモータ電流を発生させ、このモータ電流をモータに供給することにより、ギヤを介してモータの回転駆動力を巻取リール１２に伝達して、巻取リール１２を回転駆動させるように構成されている。
【００３４】
なお、前記した送出リール１１、巻取リール１２、駆動装置１３、ガイド１８が特許請求の範囲に記載の「磁気テープ走行系」に相当するものである。
【００３５】
（パルス発生回路の構成）
パルス発生回路１４は、サーボ信号書込ヘッド１５に記録パルス電流ＰＣを供給する回路であり、各種電子部品を備えている。
このパルス発生回路１４では、制御装置１６からのパルス制御信号に基づいて、プラス極性のプラスパルス電流ＰＰ→ゼロ電流ＺＣ→プラスパルス電流ＰＰ→ゼロ電流ＺＣの順に連続して発生させ、その後、所定時間電流を発生しない（ゼロ電流ＺＣ）パターンを繰り返して、記録パルス電流ＰＣを発生させている（図１（ｃ）参照）。
そして、パルス発生回路１４では、記録パルス電流ＰＣをサーボ信号書込ヘッド１５のコイル（図示せず）に供給している。
なお、プラスパルス電流ＰＰの電流値は、サーボ信号書込ヘッド１５が磁気テープＭＴの磁性層を磁化するのに十分な電流値であり、サーボ信号書込ヘッド１５のコイルの特性等を考慮して設定されている。
また、プラスパルス電流ＰＰのパルス幅（時間）は、サーボパターンＳＰの長手方向の所定の幅を規定することができ、磁気テープＭＴの走行速度やサーボ信号書込ヘッド１５のヘッドギャップの形状等を考慮して設定されている。また、ゼロ電流ＺＣの所定時間は、前記したサーボパターンＳＰを形成する所定のインターバルを規定することができ、磁気テープＭＴの走行速度等を考慮して設定されている。
【００３６】
（サーボ信号書込ヘッドの構成）
サーボ信号書込ヘッド１５は、サーボ信号ＳＳを書き込むための磁気ヘッドであり、磁束を発生するためのコイル（図示せず）を備えるとともに、ヘッドギャップ（図示せず）が形成されている。
このサーボ信号書込ヘッド１５では、磁気テープＭＴの幅方向における各サーボバンドＳＢの位置に対応させて、複数のヘッドギャップが一列に配置されている。また、ヘッドギャップは、半導体技術を応用したリソグラフィによって形成されており、テープ長手方向に対して所定の角度を有する非平行なハ字形状となっている。
【００３７】
（ＤＣ消磁ヘッドの構成）
ＤＣ消磁ヘッド２０は、サーボ信号書込ヘッド１５に対して、磁気テープ走行方向の上流側に配置されており、サーボ信号書込ヘッド１５によって、磁気テープＭＴのサーボバンドＳＢにサーボ信号ＳＳが書き込まれる前に、磁気テープＭＴのサーボバンドＳＢ及びデータバンドＤＢを一様に順方向に磁化するための公知の磁気ヘッドである。
【００３８】
（ベリファイヘッドの構成）
ベリファイヘッド１７は、サーボ信号書込ヘッド１５に対して、磁気テープ走行方向の下流側に配置されている。このベリファイヘッド１７は、サーボ信号書込ヘッド１５によって、サーボバンドＳＢに書き込まれたサーボ信号ＳＳの検査を行うための磁気ヘッドであり、読取素子（図示せず）でサーボ信号ＳＳを読み取って、その読取信号を制御装置１６に送信するように構成されている。
【００３９】
（制御装置の構成）
制御装置１６は、サーボライタ１０の各部の動作を制御する装置であり、ＣＰＵ（Ｃｅｎｔｒａｌ Ｐｒｏｃｅｓｓｉｎｇ Ｕｎｉｔ）や各種記憶装置等を備えている。
この制御装置１６では、サーボ信号ＳＳを書き込むときの磁気テープＭＴの走行速度を一定にするために、駆動装置１３のモータ電流を制御するためのモータ電流信号を生成して、駆動装置１３に送信するように構成されている。
【００４０】
また、制御装置１６では、サーボパターンＳＰの順方向の幅や、サーボパターンＳＰを形成する所定のインターバルを規定したサーボ信号ＳＳを設定するために、記録パルス電流ＰＣのプラスパルス電流ＰＰの電流値、パルス幅および発生タイミングを制御するためのパルス制御信号を生成して、パルス発生回路１４に送信するように構成されている。つまり、制御装置１６では、前記したプラスパルス電流ＰＰ→ゼロ電流ＺＣ→プラスパルス電流ＰＰ→ゼロ電流ＺＣのパルスパターンを生成している（図１（ｃ）参照）。
【００４１】
さらに、制御装置１６には、所定の規格に従ってサーボ信号ＳＳが磁気テープＭＴに書き込まれた場合のサーボパターンの順方向の幅や、サーボパターンを形成するインターバル等のデータが記憶されている。そして、ベリファイヘッド１７から受信したサーボ信号ＳＳの読取信号に基づいて、サーボ信号書込ヘッド１５によって書き込まれたサーボ信号ＳＳのサーボパターンＳＰの順方向の幅やインターバル等を検出し、記憶されているサーボパターンのデータと比較することにより、そのサーボ信号ＳＳが所定の規格に準じているか否かを判定するように構成されている。
【００４２】
（テープガイドの構成）
テープガイド３０は、ＤＣ消磁ヘッド２０、サーボ信号書込ヘッド１５及びベリファイヘッド１７に対して、それぞれ一対のテープガイド３０ａ，３０ｂが設けられている。このテープガイド３０は、走行する磁気テープＭＴを、各ヘッド２０，１５，１７の摺動面に沿わせて走行させるための部材である。
なお、ＤＣ消磁ヘッド２０、サーボ信号書込ヘッド１５及びベリファイヘッド１７に設けられた各テープガイド３０は同一の構成であるため、以下の説明では、サーボ信号書込ヘッド１５に設けられたテープガイド３０について説明し、その他のテープガイド３０については説明を省略する。
【００４３】
サーボ信号書込ヘッド１５に設けられた二体のテープガイド３０ａ，３０ｂは、図３（ａ）及び（ｂ）に示すように、磁気テープ走行方向において、サーボ信号書込ヘッド１５の両側に配置されており、摺接抵抗が少なく、耐摩耗性に優れたセラミック等の非磁性体によって形成された直方体の部材であり、サーボ信号書込ヘッド１５を挟んで対称形状となっている。
【００４４】
磁気テープ走行方向の上流側に配置されたテープガイド３０ａでは、その下面が磁気テープＭＴを案内するガイド面３１となっている。このガイド面３１は、斜めに下方に向けて走行する磁気テープＭＴを、水平方向に案内するように円弧形状となっている。そして、ガイド面３１に案内された磁気テープＭＴが水平方向に走行することにより、サーボ信号書込ヘッド１５の摺動面１５ａに接触して摺動するように構成されている。なお、磁気テープＭＴが、サーボ信号書込ヘッド１５の摺動面１５ａから僅かに離れた状態を保ちながら走行するように構成してもよい。
一方、磁気テープ走行方向の下流側に配置されたテープガイド３０ｂのガイド面３１は、サーボ信号書込ヘッド１５の摺動面１５ａを通過して水平方向に走行する磁気テープＭＴを、斜め上方に向けて案内するように円弧形状となっている。
【００４５】
また、ガイド面３１には、磁気テープＭＴ側に空気を噴出する噴出孔３３が複数形成されており、各噴出孔３３から空気を噴出して、磁気テープＭＴをガイド面３１から浮上させることにより、磁気テープＭＴをガイド面３１に摺動させることなく、ガイド面３１に沿って走行させている。
【００４６】
さらに、ガイド面３１には、磁気テープＭＴの幅方向に延設された複数の凹溝３２が磁気テープ走行方向に等間隔で並設されている。この凹溝３２は、矩形断面の溝であり、長手方向の両端部はテープガイド３０ａ，３０ｂの側面に開口されている。
【００４７】
［テープガイドの作用効果］
以上のように構成されたテープガイド３０は、次のような作用効果を奏する。
図３（ａ）及び（ｂ）に示すテープガイド３０では、磁気テープＭＴを案内するガイド面３１に複数の凹溝３２が形成されており、走行する磁気テープＭＴの表面上を流れる空気は、ガイド面３１の各凹溝３２内に流れ込み、各凹溝３２の両端部から排出されることになる。これにより、磁気テープＭＴとサーボ信号書込ヘッド１５の間に入り込む空気を減少させることができるため、磁気テープＭＴとサーボ信号書込ヘッド１５の間のスペーシングを減少させることができる。したがって、磁気テープＭＴにサーボ信号ＳＳを良好な記録状態で記録することができる。
【００４８】
なお、図２に示すＤＣ消磁ヘッド２０では、テープガイド３０によって、磁気テープＭＴとＤＣ消磁ヘッド２０の間のスペーシングを減少させることができるため、磁気テープＭＴを確実に順方向に磁化することができる。さらに、ベリファイヘッド１７では、テープガイド３０によって、磁気テープＭＴとベリファイヘッド１７の間のスペーシングを減少させることができるため、磁気テープＭＴからサーボ信号ＳＳを正確に読み取ることができる。
【００４９】
［磁気テープの製造方法］
次に、前記したサーボライタ１０を用いた磁気テープＭＴの製造方法について説明する。なお、以下の説明において、磁気テープＭＴの構成要素については、適宜に図１を参照するものとする。
【００５０】
まず、図２に示すように、サーボライタ１０の送出リール１１として、パンケーキ状の磁気テープＭＴをセットし、磁気テープＭＴの先端を引き出す。この磁気テープＭＴの先端を、ガイド１８等を介して巻取リール１２の巻心に結合する。
この状態で駆動装置１３によって巻取リール１２を回転駆動させて、磁気テープＭＴを巻取リール１２に巻き取らせることにより、磁気テープＭＴを送出リール１１から巻取リール１２に向けて走行させる。
【００５１】
送出リール１１から送り出された磁気テープＭＴは、ＤＣ消磁ヘッド２０を通過することにより、サーボバンドＳＢ及びデータバンドＤＢが一様に順方向に磁化される。
【００５２】
さらに、走行する磁気テープＭＴのサーボバンドＳＢには、ＤＣ消磁ヘッド２０によって順方向に磁化された後に、サーボ信号書込ヘッド１５によって、サーボ信号ＳＳが書き込まれることになる。
具体的には、制御装置１６から所定のパターンでパルス列の記録パルス電流ＰＣがサーボ信号書込ヘッド１５のヘッドギャップのコイルに流される。この記録パルス電流ＰＣは、プラスパルス電流ＰＰ→ゼロ電流ＺＣ→プラスパルス電流ＰＰ→ゼロ電流ＺＣの電流が所定の周期で現れる（図１（ｃ）参照）。そして、サーボ信号書込ヘッド１５では、パルス発生回路１４から記録パルス電流ＰＣが供給されると、プラスパルス電流ＰＰがコイルに流れた時には、ヘッドギャップからの漏れ磁束によって磁気テープＭＴの磁性層が順方向と逆方向に磁化され、ゼロ電流ＺＣの時には、磁気テープＭＴの磁性層は磁化されない。その結果、磁気テープＭＴの順方向に磁化された地のサーボバンドＳＢに、逆方向に磁化されたサーボパターンＳＰが形成されることになる。
【００５３】
このようにして、サーボ信号ＳＳが書き込まれた磁気テープＭＴは、ベリファイヘッド１７によってサーボ信号ＳＳが読み取られ、サーボ信号ＳＳが制御装置１６によって検査された後に、巻取リール１２に巻き取られる。そして、製品の仕様に応じたテープ長さに裁断されて、カートリッジケース等に収納される（図示せず）。
【００５４】
［サーボライタ及び磁気テープの製造方法の作用効果］
以上のようなサーボライタ１０及び磁気テープＭＴの製造方法は、次のような作用効果を奏する。
前記したサーボライタ１０、及びそのサーボライタ１０を用いた磁気テープＭＴの製造方法では、図１（ａ）に示すように、磁気テープＭＴのサーボバンドＳＢを順方向に磁化した後に、サーボバンドＳＢを順方向と逆方向に磁化してサーボ信号ＳＳを書き込むように構成されており、磁気ヘッドＨでサーボ信号ＳＳを読み取ったときに、磁界の変化率及び変化量が大きくなり、サーボ信号ＳＳの出力が大きくなる。これにより、サーボ信号ＳＳの読取信号のＳＮ比が向上するため、高精度な磁気ヘッドＨの位置制御を行うことができる。
【００５５】
また、図３（ａ）及び（ｂ）に示すように、ガイド面３１に複数の凹溝３２が形成されたテープガイド３０を用いることにより、磁気テープＭＴとサーボ信号書込ヘッド１５の間のスペーシングが減少されるため、磁気テープＭＴにサーボ信号ＳＳを記録することができる。また、ＤＣ消磁ヘッド２０（図２参照）では、テープガイド３０によって、磁気テープＭＴとＤＣ消磁ヘッド２０の間のスペーシングを減少させることができるため、磁気テープＭＴを確実に順方向に磁化することができる。さらに、ベリファイヘッド１７では、テープガイド３０によって、磁気テープＭＴとベリファイヘッド１７の間のスペーシングを減少させることができるため、磁気テープＭＴからサーボ信号ＳＳを正確に読み取ることができ、検査精度を向上させることができる。したがって、前記した磁気テープＭＴの製造方法では、高品質な磁気テープＭＴを製造することができる。
【００５６】
［第一実施形態の変形例］
以上、本発明の第一実施形態について説明したが、本発明は前記実施形態に限定されない。例えば、第一実施形態では、図３（ａ）及び（ｂ）に示すように、ガイド面３１の凹溝３２を、磁気テープＭＴの幅方向に延設しているが、凹溝３２の本数や延長方向は限定されるものではなく、凹溝３２を磁気テープＭＴの長手方向に延設してガイド面３１に形成してもよい。
【００５７】
また、ガイド面３１に形成する凹溝３２の幅や深さは限定されるものではないが、例えば、凹溝３２の幅及び間隔は１ｍｍ、凹溝３２の深さは０．５ｍｍ、テープガイド３０ａ，３０ｂとサーボ信号書込ヘッド１５の間隔はそれぞれ５ｍｍに設定することができる。
【００５８】
また、第一実施形態では、磁気テープ走行方向の上流側及び下流側のテープガイド３０ａ，３０ｂのガイド面３１に凹溝３２を形成しているが、磁気テープ走行方向の上流側又は下流側のテープガイド３０ａ，３０ｂの一方のみに凹溝３２を形成してもよい。特に、磁気テープ走行方向の上流側に配置されたテープガイド３０ａのガイド面３１に凹溝３２を形成することにより、走行する磁気テープＭＴの表面上を流れる空気を効果的に減少させることができる。
【００５９】
さらに、第一実施形態では、図２に示すように、磁気テープＭＴにサーボ信号ＳＳを書き込むためのサーボライタ１０に本発明を適用した場合について説明したが、各種の磁気テープドライブに適用することができる。
【００６０】
また、図１（ａ）に示すように、磁気テープＭＴのサーボバンドＳＢ及びデータバンドＤＢを一様に順方向に磁化しているが、サーボバンドＳＢのみを順方向に磁化し、データバンドＤＢは一方向に磁化しないように構成してもよい。
【００６１】
＜第二実施形態＞
次に、第二実施形態のサーボライタについて説明する。
図４は、第二実施形態のテープガイド及びサーボ信号書込ヘッドを示した部分側面図である。
第二実施形態において、磁気テープ走行方向の上流側に配置されたテープガイド３０ａ´は、図４に示すように、前記した第一実施形態のテープガイド３０ａ（図３参照）と略同様の構成であり、テープガイド３０ａ´のガイド面３１に形成された各凹溝３２の間隔が異なっている。
【００６２】
第二実施形態のテープガイド３０ａ´のガイド面３１に形成された各凹溝３２では、隣り合う凹溝３２の間隔が、サーボ信号書込ヘッド１５に近づくにつれて狭くなるように構成されている。具体的には、サーボ信号書込ヘッド１５側に最も近い凹溝３２ａと、その凹溝３２ａの上流側に隣り合う凹溝３２ｂとの間隔Ｐ１を一とした場合、凹溝３２ｂとその上流側の凹溝３２ｃの間隔Ｐ２は二倍、凹溝３２ｃとその上流側の凹溝３２ｄの間隔Ｐ３は三倍、凹溝３２ｄとその上流側の凹溝３２ｅの間隔Ｐ４は四倍となっている。
【００６３】
このように、サーボ信号書込ヘッド１５に対して磁気テープ走行方向の上流側に配置されたテープガイド３０ａ´において、磁気テープ走行方向に並設された凹溝３２ａ〜３２ｅの間隔を、サーボ信号書込ヘッド１５に近づくにつれて狭くなるように構成することにより、走行する磁気テープＭＴの表面上を流れる空気が、磁気テープＭＴとガイド面３１の間から徐々に排出されることになる。これにより、磁気テープＭＴとガイド面３１の間に介在する空気が全て排出されないため、磁気テープＭＴをガイド面３１から浮上させつつ、磁気テープＭＴとサーボ信号書込ヘッド１５のスペーシングを減少させることができる。
【００６４】
＜第三実施形態＞
次に、第三実施形態のサーボライタについて説明する。
図５は、第三実施形態のテープガイド及びサーボ信号書込ヘッドを示した図で、（ａ）は吸引手段の側面図、（ｂ）は吸引手段の変形例を示した側面図である。
第三実施形態のサーボライタは、前記した第二実施形態のサーボライタと略同様の構成であり、ヘッドとテープガイドの間に、走行する磁気テープをヘッド側に吸い寄せる吸引手段が設けられている点が異なっている。
【００６５】
サーボ信号書込ヘッド１５を例にして具体的に説明すると、図５（ａ）に示すように、テープガイド３０ａ´とサーボ信号書込ヘッド１５の間に形成された空間４０の下部に仕切り板４１が水平に設けられており、この仕切り板４１とテープガイド３０ａ´及びサーボ信号書込ヘッド１５との間には、僅かに隙間が形成されている。また、仕切り板４１に吸引孔を貫通させてもよい。そして、吸引装置４３によって、空間４０の空気を吸い出すことにより，空間４０内が負圧状態となる。これにより、仕切り板４１とテープガイド３０ａ´及びサーボ信号書込ヘッド１５との隙間、または仕切り板４１に形成された吸引孔には吸引作用が生じることになり、この吸引作用によって、走行する磁気テープＭＴがサーボ信号書込ヘッド１５側に引き寄せられることになる。
【００６６】
このように、走行する磁気テープＭＴを各ヘッド１５，２０，１７側に引き寄せる吸引手段を、テープガイド３０と各ヘッド１５，２０，１７の間にそれぞれ設けることにより、磁気テープＭＴとサーボ信号書込ヘッド１５を適正な接触圧で接触させることができる。なお、この吸引手段を、磁気テープ走行方向において、各ヘッド１５，２０，１７の両側に設けることにより、磁気テープＭＴと各ヘッド１５，２０，１７をより確実に接触させることが望ましい。
【００６７】
さらに、前記した吸引手段の変形例としては、図５（ｂ）に示すように、テープガイド３０ａ´とサーボ信号書込ヘッド１５の間に形成された空間４０の下部に、磁気テープＭＴの幅方向に延設された吸引管４２を設け、この吸引管４２の下部に形成された吸引孔４２ａから空気を吸い込むことにより、走行する磁気テープＭＴをサーボ信号書込ヘッド１５側に引き寄せるように構成することもできる。
【図面の簡単な説明】
【００６８】
【図１】第一実施形態の磁気テープを示した図で、（ａ）は磁気テープの磁化状態を説明する拡大平面図、（ｂ）は磁気テープから読み取ったサーボ信号を示した図、（ｃ）はサーボ信号を書き込むときの信号を示した図である。
【図２】第一実施形態のサーボライタを示した構成図である。
【図３】第一実施形態のテープガイド及びサーボ信号書込ヘッドを示した図で、（ａ）は側面図、（ｂ）は下面図である。
【図４】第二実施形態のテープガイド及びサーボ信号書込ヘッドを示した部分側面図である。
【図５】第三実施形態のテープガイド及びサーボ信号書込ヘッドを示した図で、（ａ）は吸引手段の側面図、（ｂ）は吸引手段の変形例を示した側面図である。
【符号の説明】
【００６９】
１０    サーボライタ
１１    送出リール
１２    巻取リール
１３    駆動装置
１４    パルス発生回路
１５    サーボ信号書込ヘッド
１６    制御装置
１７    ベリファイヘッド
２０    ＤＣ消磁ヘッド
３０    テープガイド
３０ａ  上流側のテープガイド
３０ｂ  下流側のテープガイド
３１    ガイド面
３２    凹溝
ＤＢ    データバンド
ＳＢ    サーボバンド
ＳＰ    サーボパターン
ＳＳ    サーボ信号
【図１】
2007242091.tif 000003
【図２】
2007242091.tif 000004
【図３】
2007242091.tif 000005
【図４】
2007242091.tif 000006
【図５】
2007242091.tif 000007